(57)【要約】【課題】イオン発生部のイオン発生量や金属微粒子生成部の金属微粒子生成量が低下することを抑制することができるヘアドライヤを提供する。【解決手段】イオン発生部に電圧を印加する第一電圧印加回路１２と、金属微粒子生成部に電圧を印加する第二電圧印加回路１４とを備えるヘアドライヤ１において、筒体６の軸心線ｙへの第一電圧印加回路１２の中心を通る第一垂線ｘ１と、筒体６の軸心線ｙへの第二電圧印加回路１４の中心を通る第二垂線ｘ２との筒体６の軸心線ｙ周りでの角度ｚを８０度〜２８０度の範囲内とした。【選択図】図４
2010125163.tif 000002
【特許請求の範囲】
【請求項１】
両端が開口された筒体と、この筒体の一端から前記筒体内に吸い込んだ空気を前記筒体の他端から送風するファンと、を備えるヘアドライヤにおいて、
前記筒体の外側に配置された第一電圧印加回路と、
前記筒体の外側に配置された第二電圧印加回路と、
前記第一電圧印加回路によって電圧を印加されることによりイオンを発生するイオン発生部と、
前記第二電圧印加回路によって電圧を印加されることにより金属微粒子を生成する金属微粒子生成部と、
を備え、
前記筒体の軸心線への前記第一電圧印加回路の中心を通る第一垂線と、前記筒体の軸心線への前記第二電圧印加回路の中心を通る第二垂線との前記筒体の軸心線周りでの角度が８０度〜２８０度の範囲内であることを特徴とするヘアドライヤ。
【請求項２】
前記第一電圧印加回路と前記第二電圧印加回路とが前記筒体を挟んで互いに反対側に配置されていることを特徴とする請求項１に記載のヘアドライヤ。
【請求項３】
両端が開口された筒体と、この筒体の一端から前記筒体内に吸い込んだ空気を前記筒体の他端から送風するファンと、を備えるヘアドライヤにおいて、
前記筒体の外側に配置された第一電圧印加回路と、
前記筒体の外側に配置された第二電圧印加回路と、
前記第一電圧印加回路によって電圧を印加されることによりミストを生成ミスト生成部と、
前記第二電圧印加回路によって電圧を印加されることにより金属微粒子を生成する金属微粒子生成部と、
を備え、
前記第一電圧印加回路と前記第二電圧印加回路とが前記筒体を挟んで互いに反対側に配置されていることを特徴とするヘアドライヤ。
【請求項４】
前記筒体を有する本体部と、
前記本体部に結合され、把持可能な把持部と、
を備え、
前記第一電圧印加回路は、前記筒体における前記把持部側と前記把持部側の反対側とのうちの一方に配置され、
前記第二電圧印加回路は、前記筒体における前記把持部側と前記把持部側の反対側とのうちの他方に配置されていることを特徴とする請求項１〜３のいずれか一項に記載のヘアドライヤ。
【請求項５】
前記第一電圧印加回路と前記筒体と前記第二電圧印加回路とが、直線上に配置されていることを特徴とする請求項４に記載のヘアドライヤ。
【請求項６】
複数の分割体が継ぎ合わされて構成されて前記第一電圧印加回路および前記第二電圧印加回路を支持するケースを備え、
前記第一電圧印加回路を支持する前記分割体と前記第二電圧印加回路を支持する前記分割体とは、異なることを特徴とする請求項１〜５のいずれか一項に記載のヘアドライヤ。
【請求項７】
前記筒体を有する本体部と、
前記本体部に結合され、把持可能な把持部と、
前記把持部に配置されたチャージ部と、
を備え、
前記イオンおよび前記金属微粒子は、同じ極性を有し、
前記チャージ部は、前記イオンおよび前記金属微粒子が人体の表面に継続して誘引／吸着されるように人体の表面電位を保持するためのものであることを特徴とする請求項１〜３のいずれか一項に記載のヘアドライヤ。
【請求項８】
前記筒体および前記ファンを有する送風部と、
前記筒体に吸い込まれる空気を濾過するフィルタユニットと、
前記フィルタユニットを前記送風部に対して着脱自在に係止する一対の係止部と、
を備え、
前記第一電圧印加回路および前記第二電圧印加回路が上下方向に並んだ状態で前記筒体の軸心線に沿って見て、前記一対の係止部が前記筒体を挟んで左右方向に並ぶ位置に配置されていることを特徴とする請求項４に記載のヘアドライヤ。
【発明の詳細な説明】
【技術分野】
【０００１】
本発明は、ヘアドライヤに関する。
【背景技術】
【０００２】
従来のヘアドライヤとして、イオンを発生するイオン発生部と金属微粒子を生成する金属微粒子生成部とを備えたものが知られている（特許文献１）。イオン発生部および金属微粒子生成部は、それらが有する一対の電極間に電圧印加回路によって高電圧が印加されることによってイオンや金属微粒子を発生すようになっている。このような電圧印加回路は、イオン発生部に対して一つと金属微粒子生成部に対して一つ設けられている。
【特許文献１】特開２００８−２３０６３号公報
【発明の開示】
【発明が解決しようとする課題】
【０００３】
このような従来のヘアドライヤでは、２つの電圧印加回路が、互いの電界による影響を受けることによって規定の電圧をイオン発生部や金属微粒子生成部に印加することができず、イオン発生部が発生するイオンの量や金属微粒子生成部が生成する金属微粒子の量が低下する虞がある。
【０００４】
そこで、本発明は、イオン発生部のイオン発生量や金属微粒子生成部の金属微粒子生成量が低下することを抑制することができるヘアドライヤを提供することを目的とする。
【課題を解決するための手段】
【０００５】
本発明の第１の態様は、両端が開口された筒体と、この筒体の一端から前記筒体内に吸い込んだ空気を前記筒体の他端から送風するファンと、を備えるヘアドライヤにおいて、前記筒体の外側に配置された第一電圧印加回路と、前記筒体の外側に配置された第二電圧印加回路と、前記第一電圧印加回路によって電圧を印加されることによりイオンを発生するイオン発生部と、前記第二電圧印加回路によって電圧を印加されることにより金属微粒子を生成する金属微粒子生成部と、を備え、前記筒体の軸心線への前記第一電圧印加回路の中心を通る第一垂線と、前記筒体の軸心線への前記第二電圧印加回路の中心を通る第二垂線との前記筒体の軸心線周りでの角度が８０度〜２８０度の範囲内であることを特徴とする。
【０００６】
本発明の第２の態様は、前記第１の態様のヘアドライヤにおいて、前記第一電圧印加回路と前記第二電圧印加回路とが前記筒体を挟んで互いに反対側に配置されていることを特徴とする。
【０００７】
本発明の第３の態様は、両端が開口された筒体と、この筒体の一端から前記筒体内に吸い込んだ空気を前記筒体の他端から送風するファンと、を備えるヘアドライヤにおいて、前記筒体の外側に配置された第一電圧印加回路と、前記筒体の外側に配置された第二電圧印加回路と、前記第一電圧印加回路によって電圧を印加されることによりミストを生成ミスト生成部と、前記第二電圧印加回路によって電圧を印加されることにより金属微粒子を生成する金属微粒子生成部と、を備え、前記第一電圧印加回路と前記第二電圧印加回路とが前記筒体を挟んで互いに反対側に配置されていることを特徴とする。
【０００８】
本発明の第４の態様は、前記第１〜３のいずれか一つの態様のヘアドライヤにおいて、前記筒体を有する本体部と、前記本体部に結合され、把持可能な把持部と、を備え、前記第一電圧印加回路は、前記筒体における前記把持部側と前記把持部側の反対側とのうちの一方に配置され、前記第二電圧印加回路は、前記筒体における前記把持部側と前記把持部側の反対側とのうちの他方に配置されていることを特徴とする。
【０００９】
本発明の第５の態様は、前記第４の態様のヘアドライヤにおいて、前記第一電圧印加回路と前記筒体と前記第二電圧印加回路とが、直線上に配置されていることを特徴とする。
【００１０】
本発明の第６の態様は、前記第１〜第５のいずれか一つの態様のヘアドライヤにおいて、複数の分割体が継ぎ合わされて構成されて前記第一電圧印加回路および前記第二電圧印加回路を支持するケースを備え、前記第一電圧印加回路を支持する前記分割体と前記第二電圧印加回路を支持する前記分割体とは、異なることを特徴とする。
【００１１】
本発明の第７の態様は、前記第１〜第３のいずれか一つの態様のヘアドライヤにおいて、前記筒体を有する本体部と、前記本体部に結合され、把持可能な把持部と、前記把持部に配置されたチャージ部と、を備え、前記イオンおよび前記金属微粒子は、同じ極性を有し、前記チャージ部は、前記イオンおよび前記金属微粒子が人体の表面に継続して誘引／吸着されるように人体の表面電位を保持するためのものであることを特徴とする。
【００１２】
本発明の第８の態様は、前記第４の態様のヘアドライヤにおいて、前記筒体および前記ファンを有する送風部と、前記筒体に吸い込まれる空気を濾過するフィルタユニットと、前記フィルタユニットを前記送風部に対して着脱自在に係止する一対の係止部と、を備え、前記第一電圧印加回路および前記第二電圧印加回路が上下方向に並んだ状態で前記筒体の軸心線に沿って見て、前記一対の係止部が前記筒体を挟んで左右方向に並ぶ位置に配置されていることを特徴とする。
【発明の効果】
【００１３】
本発明の前記第１の態様によれば、筒体の軸心線への第一電圧印加回路の中心を通る第一垂線と、筒体の軸心線への第二電圧印加回路の中心を通る第二垂線との筒体の軸心線周りでの角度が８０度〜２８０度の範囲内であることにより、イオン発生部のイオン発生量や金属微粒子生成部の金属微粒子生成量が低下することを抑制することができる。
【００１４】
本発明の前記第２および第３の態様によれば、第一電圧印加回路と第二電圧印加回路とが筒体を挟んで互いに反対側に配置されていることにより、第一電圧印加回路と第二電圧印加回路と相互干渉の発生を抑制することができるので、イオン発生部のイオン発生量や金属微粒子生成部の金属微粒子生成量が低下することを抑制することができる。
【００１５】
本発明の前記第４の態様によれば、第一電圧印加回路が、筒体における把持部側と把持部側の反対側とのうちの一方に配置され、第二電圧印加回路が、筒体における把持部側と把持部側の反対側とのうちの他方に配置されていることにより、使用者が把持部１ａを持ったときに、第一電圧印加回路および第二電圧印加回路に作用する重力による回転モーメント（のモーメントアーム）を小さくして、使用者の手に作用する負荷を小さくすることができる。
【００１６】
本発明の第５の態様によれば、前記第一電圧印加回路と前記筒体と前記第二電圧印加回路とが、直線上に配置されていることにより、第一電圧印加回路および第二電圧印加回路に作用する重力による回転モーメント（のモーメントアーム）をより小さくして、使用者の手に作用する負荷をより小さくすることができる。
【００１７】
本発明の第６の態様によれば、第一電圧印加回路を支持するケースの分割体と第二電圧印加回路を支持するケースの分割体とが異なることにより、それぞれの電圧印加回路の電界の影響によって分割体が帯電しても、その電荷の移動を分割体の継ぎ目で抑制することができるので、イオン発生部のイオン発生量や金属微粒子生成部の金属微粒子生成量が低下することを抑制することができる。
【００１８】
本発明の第７の態様によれば、把持部にチャージ部が配置されていることにより、ヘアドライヤの重量バランスを良くしてヘアドライヤを持ちやすくすることができる。
【００１９】
本発明の第８の態様によれば、第一電圧印加回路および第二電圧印加回路が上下方向に並んだ状態で筒体の軸心線に沿って見て、一対の係止部が筒体を挟んで左右方向に並ぶ位置に配置されていることにより、ヘアドライヤの重量バランスを良くしてヘアドライヤを持ちやすくすることができるとともに、筒体回りの第一電圧印加回路および第二電圧印加回路の間のスペースを有効利用してヘアドライヤの小型化を図ることができる。
【発明を実施するための最良の形態】
【００２０】
以下、本発明の好適な一実施形態について図面を参照しながら説明する。図１は、本実施形態にかかるヘアドライヤの断面図、図２は、ヘアドライヤを送風口側から見た正面図、図３は、ヘアドライヤの本体部内で金属微粒子生成部とミスト生成部が設けられる部分を拡大して示す平面図、図４は、図１のＩＶ−ＩＶ線断面図、図５は、本実施形態にかかるフィルタユニットを示す分解斜視図、図６は、図１のＶＩ−ＶＩ線断面図、図７は、図１のＶＩＩ−ＶＩＩ線断面図、図８は、本実施形態の変形例にかかるヘアドライヤを示す断面図、図９は、本実施形態にかかるミスト生成部のイオン発生特性図、図１０は、本実施形態にかかる比較例のミスト生成部のイオン発生特性図である。
【００２１】
本実施形態にかかるヘアドライヤ１は、使用者が把持可能な把持部１ａと、把持部１ａと交差する方向に結合された本体部１ｂとを備えており、使用時には把持部１ａと本体部１ｂとで略Ｔ字状あるいは略Ｌ字状（本実施形態では略Ｔ字状）の外観を呈するように構成されている。把持部１ａの突出端部からは、電源コード２が引き出されている。また、把持部１ａは、本体部１ｂ側に位置する根元部１ｃと先端部１ｄとに分割されており、これら根元部１ｃと先端部１ｄとが、連結部１ｅを介して回動可能に連結されている。先端部１ｄは、本体部１ｂに沿う位置まで折り畳むことができるようになっている。
【００２２】
ヘアドライヤ１の外壁をなすケース３は、複数の分割体３ｆ，３ｇを継ぎ合わせて構成されている。ケース３の内部には空洞が形成されており、この空洞内に、各種電気部品が収容されている。
【００２３】
本体部１ｂの内部には、その長手方向（図１の左右方向）の一方側（右側）の入口開口４ａから、送風口４ｂに至る風洞４が形成されており、この風洞４内に収容されたファン５を回転させることによって空気流Ｗが形成される。すなわち、空気（空気流Ｗ）は、外部から入口開口４ａを介して風洞４内に流入し、当該風洞４内を通って送風口４ｂから外部に送出される。
【００２４】
また、本体部１ｂにおいて、ケース３の外筒３ａの内部には、両端が開口された略円筒状の筒体としての内筒６が設けられており、空気流Ｗはこの内筒６の内側を流れるようになっている。内筒６の内側では、最も上流側にファン５が配置され、その下流側にファン５を駆動するモータ７が配置され、モータ７のさらに下流側に加熱機構としてのヒータ８が配置されている。ファン５は、モータ７によって駆動されることで、内筒６の一端から内筒６内に吸い込んだ空気を内筒６の他端から送風し、空気流Ｗが送風口４ｂから送出される。このとき、ヒータ８を作動させると、送風口４ｂから温風が吹き出されることになる。この内筒６は、ファン５および外筒３ａとともに送風部２５を構成している。
【００２５】
なお、本実施形態では、ヒータ８は、帯状かつ波板状の電気抵抗体を内筒６の内周に沿って巻回して配置したものとして構成されているが、かかる構成には限定されない。
【００２６】
そして、本体部１ｂ内で、ケース３と内筒６との間に形成された空洞９に、金属微粒子生成部１０や、イオン発生部としてのミスト生成部１１、ミスト生成部１１に電圧を印加する第一電圧印加回路１２等が収容されている。即ち、ケース３内に金属微粒子生成部１０およびミスト生成部１１が収容されている。また、把持部１ａの根元部１ｃ内の空洞１３には、金属微粒子生成部１０に電圧を印加する第二電圧印加回路１４や、動作モードの切り換え等を行うスイッチ部１５が収容されている。さらに、把持部１ａの先端部１ｄ内の空洞には、電源のＯＮとＯＦＦとの切り換えや動作モードの切り換え等を行う別のスイッチ部１６が収容されている。これら電気部品同士は、金属導体等からなる芯線を絶縁性樹脂等で被覆したリード線１７によって接続されている。なお、スイッチ部１５，１６は、ケース３の表面に露出した操作子１８，１９を操作することで、内部接点の開閉状態を切り換えることができるように構成されている。
【００２７】
第一電圧印加回路１２および第二電圧印加回路１４は、図１および図４に示すように、内筒６の外側に配置するとともに、これら第一電圧印加回路１２および第二電圧印加回路１４は、内筒６を挟んで互いに反対側に配置してある。より具体的には、第一電圧印加回路１２を内筒６における把持部１ａ側の反対側に配置し、第二電圧印加回路１４を内筒６における把持部１ａ側に配置してある。このとき、第一電圧印加回路１２と内筒６と第二電圧印加回路１４とを直線上に配置してある。このような第一電圧印加回路１２および第二電圧印加回路１４の位置関係は、内筒６の軸心線ｙへの第一電圧印加回路１２の中心を通る第一垂線ｘ１と、筒体６の軸心線ｙへの第二電圧印加回路１４の中心を通る第二垂線ｘ２との内筒６の軸心線周りでの角度ｚが８０度〜２８０度の範囲内となっている。
【００２８】
これら第一電圧印加回路１２および第二電圧印加回路１４は、ケース３等によって支持されている。具体的には、第一電圧印加回路１２は、分割体３ｆと内筒６に一体形成された支持部材２３とによって支持している一方、第二電圧印加回路１４は、支持部材２４を介して分割体３ｇによって支持してある。即ち、本実施形態では、第一電圧印加回路１２を支持する分割体３ｆと第二電圧印加回路１４を支持する分割体３ｇとを、異ならせている。
【００２９】
内筒６は、筒状部６ａと、筒状部６ａから径方向外側に向けて伸びて周方向に分散して配置された複数の支持リブ６ｂ（図１では一箇所のみ図示）と、支持リブ６ｂを介して筒状部６ａに接続され当該筒状部６ａの軸方向と略直交する方向に張り出すフランジ部６ｃと、を有している。筒状部６ａとフランジ部６ｃとの間には間隙ｇ１が形成されており、この間隙ｇ１を介して空洞９内に空気流Ｗの一部が分岐されて流入し、分岐流Ｗｐが形成されている。なお、分岐流Ｗｐの空洞９内への導入口となる間隙ｇ１は、ファン５の下流でありかつヒータ８の上流側となる位置に設けられている。したがって、分岐流Ｗｐは、ヒータ８によって加熱される前の、比較的冷たい空気流となる。
【００３０】
また、図３に示すように、金属微粒子生成部１０に繋がるリード線１７ａと、ミスト生成部１１に繋がるリード線１７ｂとは、相互に交叉させることなく極力離間させて配索するのが好適である。リード線１７ａ，１７ｂを流れる電流の相互干渉によって、金属微粒子生成部１０あるいはミスト生成部１１で所望の電圧が得られなくなったり、電圧が不安定になったりするのを抑制するためである。本実施形態では、金属微粒子生成部１０をミスト生成部１１に対して内筒６の周方向一方側（図３では上側）に離間して配置するとともに、リード線１７ａを内筒６と外筒３ａとの間で金属微粒子生成部１０に対して内筒６の周方向一方側となる領域に配索し、かつ、リード線１７ｂを内筒６と外筒３ａとの間でミスト生成部１１に対して内筒６の周方向他方側（図３では下側）となる領域に配索している。
【００３１】
ケース３には、図２に示すように、空洞９の送風口４ｂ側となる位置に、楕円形の貫通孔３ｂが形成されており、この貫通孔３ｂを絶縁性の合成樹脂材料からなるカバー２０で塞いである。カバー２０には、排出口としての金属微粒子排出口２０ａと同じく排出口としてのミスト排出口２０ｂとが形成されている。カバー２０は、金属微粒子あるいはミストによる帯電を抑制するため、ケース３よりも導電性を低くするのが好適である。カバー２０が帯電すると、その電荷によって、金属微粒子生成部１０やミスト生成部１１から電荷を帯びた金属微粒子やミストが放出されにくくなるからである。なお、この部分では、カバー２０がヘアドライヤ１の外壁を成している。
【００３２】
金属微粒子生成部１０は、導電性を有する金属材料によって形成される放電極１０ａおよびグラウンド電極１０ｂを有しており、これら放電極１０ａとグラウンド電極１０ｂとの間に第二電圧印加回路１４によって高電圧を印加して放電（コロナ放電等）を生じさせ、その放電作用によって放電極１０ａやグラウンド電極１０ｂ等から金属微粒子（金属の分子やイオン等）を放出させるものである。金属微粒子生成部１０で生成された金属微粒子（金属の分子やイオン等）は、金属微粒子排出口２０ａからヘアドライヤ１の外部へ放出される。
【００３３】
この金属微粒子生成部１０は、箱状の筐体１０ｃを備えており、放電極１０ａは、筐体１０ｃ内で、当該筐体１０ｃに固定された基台部（例えばプリント基板等、図示せず）に、例えばはんだ付けやかしめ等によって固定されている。
【００３４】
放電極１０ａは、極細の線材として構成することができ、その幅（直径）を、１０〜４００［μｍ］（好適には３０〜３００［μｍ］、より一層好適には５０〜２００［μｍ］）に設定することができる。その場合、断面形状としては、円形、楕円形、多角形形状等、各種採用することができる。なお、放電極１０ａは、尖端を有する針状に形成してもよい。
【００３５】
グラウンド電極１０ｂは、例えば、放電極１０ａの先端側に離間させて当該放電極１０ａの延伸方向と略直交して配置される環状かつ板状の部材として設けることができる。
【００３６】
また、放電極１０ａは、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。金属微粒子生成部１０で生成され放出された金属の微粒子に、金や、銀、銅、亜鉛等が含まれている場合、当該金属の微粒子によって抗菌作用を生じさせることができる。また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。なお、金属微粒子の放出をさせない部分（例えばグラウンド電極１０ｂ等）は、ステンレススチールや、タングステン等を用いて構成することができる。
【００３７】
また、金属微粒子生成部１０は、放電作用によってイオン（例えばマイナスイオン、例えばＮＯ２−、ＮＯ３−等）を生じさせ、このイオンを、放電極１０ａや、グラウンド電極１０ｂ、他の金属材料や金属成分を含む部材等に衝突させることで、金属微粒子を生成するものであってもよい。すなわち、グラウンド電極１０ｂや上記他の部材を、上記遷移金属を含む材料によって構成し、これらから金属微粒子を放出させるようにしてもよい。
【００３８】
ミスト生成部１１は、導電性を有する金属材料によって形成される放電極１１ａおよびグラウンド電極１１ｂを有しており、これら放電極１１ａとグラウンド電極１１ｂとの間に第一電圧印加回路１２によって高電圧を印加することで放電（コロナ放電等）を生じさせるものである。具体的には、例えば、放電極１１ａは針状に形成し、グラウンド電極１１ｂは放電極１１ａの先端側に離間配置した環状かつ板状の部材として形成することができる。また、ミスト生成部１１は、冷却機構としてのペルチェ素子（図示せず）および熱伝導性を有する部材（例えば金属部材等）からなる冷却板１１ｃとを含んでおり、ペルチェ素子によって冷却された冷却板１１ｃの表面に空気中の水分を結露させ、結露水を生じるようになっている。かかる構成では、供給された水、すなわち結露水が、放電作用によって微粒化され、ナノメータサイズの非常に細かいミスト（マイナスイオンを含むマイナスに帯電されたミスト）が生成される。このミスト生成部１１で生成されたミストは、ミスト排出口２０ｂからヘアドライヤ１の外部へ放出される。本実施形態では、ペルチェ素子および冷却板１１ｃが水供給部に相当する。
【００３９】
ここで、ミスト生成部としては、水を加熱してスチームを発生させるスチーム発生機構を搭載してもよいし、金属微粒子生成部としては、金属の溶液を霧化して金属微粒子を生成する金属溶液霧化機構を搭載してもよい。
【００４０】
また、本実施形態では、図２に示すように、金属微粒子排出口２０ａを、ミスト排出口２０ｂより小さく形成してある。すなわち、ミスト排出口２０ｂを介してのミスト生成部１１のメンテナンスや状態の確認等をより容易に行わせるとともに、金属微粒子排出口２０ａを介しての手指や、異物等の誤進入を抑制してある。
【００４１】
さらに、本実施形態にかかるヘアドライヤ１は、図１ないし図３に示すように、イオン発生部である金属微粒子生成部１０およびミスト生成部１１を照明する照明部２１を備えている。この照明部２１によって、金属微粒子生成部１０およびミスト生成部１１に対する掃除等のメンテナンスの作業効率の向上を図っている。
【００４２】
照明部２１は、並設された金属微粒子生成部１０およびミスト生成部１１の中間に配置されて、金属微粒子生成部１０およびミスト生成部１１に対して等距離に配置されている。別の言い方をすると、照明部２１は、金属微粒子生成部１０およびミスト生成部１１の中間位置に位置する仮想中立面上に位置している。この照明部２１は、金属微粒子生成部１０およびミスト生成部１１を同時に照明するようにようになっている。照明部２１は、金属微粒子生成部１０の放電極１０ａおよびグラウンド電極１０ｂと、ミスト生成部１１の放電極１１ａおよびグラウンド電極１１ｂとの近傍に位置しており、それらの各電極を特に明るく照明するようになっている。また、この照明部２１は、金属微粒子生成部１０およびミスト生成部１１とともに、それら金属微粒子生成部１０およびミスト生成部１１の周囲も照明するようになっている。
【００４３】
具体的には、照明部２１は、空洞９内に配置され光を発光する光源２１ａと、透過性を有し光源２１ａの光を導光する導光部材２１ｂと、を有している。導光部材２１ｂは、例えば、ポリカーボネートやアクリル等の合成樹脂材料やガラス等によって板状に形成されている。図２に示すように、カバー２０の、金属微粒子排出口２０ａとミスト排出口２０ｂとの間には、縦長の長円状の孔２０ｃが形成されており、導光部材２１ｂの光源２１ａと反対側の出射端部２１ｃが、この孔２０ｃに嵌挿されて、カバー２０の外に露出している。したがって、光源２１ａの光は導光部材２１ｂによって導光され、出射端部２１ｃからカバー２０の外に出射される。このとき、導光部材２１ｂは、送風口４ｂの空気の送出方向に光源２１ａの光を出射する。即ち、導光部材２１ｂは、光源２１ａの光を当該ヘアドライヤ１の外部へ出射するようになっている。別の言い方をすると、導光部材２１ｂは、金属微粒子生成部１０およびミスト生成部１１とは別の被照明対象として当該ヘアドライヤ１の外部空間に光源２１ａの光を出射するようになっている。かかる構成では、ヘアドライヤ１の使用時には、出射端部２１ｃが使用者の頭部に対向して配置されることになる。
【００４４】
光源２１ａは、発光可能な色を複数有しており、複数の色のうち選択部としてのスイッチ部２３（図２）によって選択された色を発光するようになっている。具体的には、光源２１ａは、複数のＬＥＤ（発光ダイオード）を有しており、発光させるＬＥＤの組み合わせに応じて種々の色を選択的に照射することができるようになっている。例えば、複数のＬＥＤとしては、色の三原色（赤、緑、青）のうちの赤色を発光する赤色ＬＥＤ、緑色を発光する緑色ＬＥＤ、青色を発光する青色ＬＥＤである。この場合、光源２１ａは、赤色ＬＥＤだけを発光させることで赤色を発光し、緑色ＬＥＤだけを発光させることで緑色を発光し、青色ＬＥＤだけを発光させることで青色を発光する。また、赤色ＬＥＤ、緑色ＬＥＤ、青色ＬＥＤから出射された光の混合によって任意の色を発光させることができる。
【００４５】
スイッチ部２１は、図２に示すように、本体部１ｂにおいて把持部１ａに近接する位置に設けられている。スイッチ部２３は、照明部２１を制御する回路を有するとともに、リード線によって照明部２１に接続されている。このスイッチ部２３は、使用者による操作が可能にケース３の表面に露出した操作子２３ａを有しており、操作子２３ａを操作することことで内部接点の開閉状態を切り換えることができるように構成されている。スイッチ部２３は、操作子２３ａの位置に応じて、光源２１ａの点灯と消灯との切り替えおよび発光色の切り替えを行う。
【００４６】
ここで、照明部２１からの光によって、人体に所定の効果を与えることが可能である。例えば、光源２１ａとして波長４１５［ｎｍ］の高輝度ＬＥＤを用いた場合には、当該光源２１ａから出射される青色光により、細菌の破壊による殺菌効果や、毛孔の縮小や皮脂の分泌低下等によるざ瘡（にきび）の予防効果などが得られることが確認されている。また、光源２１ａとして波長６３０［ｎｍ］程度の高輝度ＬＥＤを用いた場合には、当該光源２１ａから出射される赤色光により、血行促進、血管新生による新陳代謝の活性、コラーゲンやエラスチンの生成を促進するなどの効果が得られることが確認されている。さらに、赤色光の照射回数を重ねた場合には、小じわ、しみ、くすみ、開大毛孔などの光老化皮膚やざ瘡後の瘢痕の改善に有効であることが確認されている。なお、これらの効果は、人によって異なるものとなる。
【００４７】
この照明部２１は、ヘアドライヤ１の動作モードの表示手段として利用することができる。例えば、ヒータ８を使用していて温風が吹き出されている状態では赤色、ヒータ８を使用せず冷風が吹き出されている状態では緑色、金属微粒子生成部１０が稼動していて金属微粒子が放出されている状態では黄色、ミスト生成部１１が稼動していてミストが放出されている状態では青色、など、動作状態に応じて色を変化させるようにすることができる。この場合、例えば第一電圧印加回路１２等と同じ基板上に実装された制御回路（図示せず）が各部の動作状態に応じて光源２１ａの発光を制御することができる。なお、制御回路によって光源２１ａを点滅させたり、その点滅間隔を制御したり、発光強度を変化させたりすることも可能であり、これら発光形態を、種々の動作モードに対応づけて設定することも可能である。
【００４８】
また、ヘアドライヤ１は、図１および図２に示すように、第二照明部２４を備えている。第二照明部２４は、送風口４ｂを縦断するように送風口４ｂに配置されており、光をヘアドライヤ１の手前の前方へ向けて照射するようになっている。したがって、使用者の頭部に対してヘアドライヤ１が使用された時には、第二照明部２４は、使用者の頭部に向けて光を照射する。この第二照明部２４の光源は、例えばＬＥＤなどである。
【００４９】
また、ヘアドライヤ１は、図１に示すように、内筒６に吸い込まれる空気を濾過するフィルタユニット２６を備えている。フィルタユニット２６は、入口開口４ａを覆う位置で送風部２５の上流側端部に着脱自在に装着されている。
【００５０】
フィルタユニット２６は、図５に示すように、第一フィルタ２６ａと、第二フィルタ２６ｂと、これら第一フィルタ２６ａおよび第二フィルタ２６ｂを支持する枠体２６ｃと、を備えている。枠体２６ｃと第一フィルタ２６ａとの間に第二フィルタ２６ｂが位置した状態で枠体２６ｃに第一フィルタ２６ａが係止されており、かかる構造によって第二フィルタ２６ｂが枠体２６ｃと第一フィルタ２６ａとによって挟持されている。
【００５１】
このフィルタユニット２６は、図５〜図７に示すように、左右一対の係止部２８によって、送風部２５に対して着脱自在に係止されている。各係止部２８は、枠体２６ｃに設けられた爪部２６ｅと、送風部２５に設けられた弾性部材２７とを有して構成されている。爪部２６ｅには凹部２６ｆが設けられる一方、弾性部材２７には凸部２７ａが設けられている。弾性部材２７は、内筒６に対して固定されている。かかる構造では、フィルタユニット２６を、送風部２５の上流側端部にその上流側から押し込むことよって、弾性部材２７が爪部２６ｅに押されて弾性変形し、最終的に爪部２６ｅの凹部２６ｆに弾性部材２７の凸部２７ａが係止する。このフィルタユニット２６を取り外す場合には、送風部２５の上流側端部の上流側へフィルタユニット２６を引き抜くことによって、弾性部材２７の弾性変形が変形し、最終的に爪部２６ｅの凹部２６ｆと弾性部材２７の凸部２７ａとの係止が解除される。
【００５２】
この一対の係止部２８は、第一電圧印加回路１２および第二電圧印加回路１４が上下方向に並んだ状態で筒体６の軸心線ｙに沿って見て（図７）、筒体６を挟んで左右方向に並ぶ位置に配置されている。
【００５３】
また、ヘアドライヤ１は、図１に示すように、使用者の帯電によってミスト生成部１２からのミスト（イオン）の放出や金属微粒子生成部１４からの金属微粒子の放出が阻害されるのを抑制するため、把持部１ａにチャージ部２９を備えている。チャージ部２９は、第三電圧印加回路と絶縁物（成型品）１ｆとを有し、第三電圧印加回路によって絶縁物１ｆに電圧を印加することで絶縁物１ｆを帯電させる。ここで、ミスト生成部１２が発生するイオンおよび金属微粒子生成部１４が生成する金属微粒子は、同じ極性（例えば、マイナス）を有しているが、このチャージ部２９は、ミスト生成部１２が発生するイオンおよび金属微粒子生成部１４が生成する金属微粒子とは逆の極性（例えば、プラス）を有する電圧を発生する。使用者が把持部１ａを把持し同時に絶縁物１ｆを把持することで、チャージ部２９は、ミスト生成部１２から放出されるイオンおよび金属微粒子生成部１４から放出される金属微粒子が人体（使用者）の表面に継続して誘引／吸着されるように人体の表面電位を保持する。即ち、チャージ部２９は、電位保持手段である。
【００５４】
上述したように、本実施形態にかかるヘアドライヤ１は、金属微粒子生成部１０およびミスト生成部１１を同じ空洞９内に収容しているのであるが、ミスト生成部１１で生じたミストが金属微粒子生成部１０に到達すると、金属微粒子生成部１０が帯電して電圧や電界が変化して金属微粒子の生成が不安定化したり、金属微粒子生成部１０の金属部分が水分によって腐食したりする虞がある。
【００５５】
そこで、本実施形態では、金属微粒子生成部１０を、ミスト生成部１１で生成されたミストが通過するミスト通過領域Ａｍｉから外して配置してある。具体的には、図３に示すように、金属微粒子生成部１０を、ミスト生成部１１に対して、ミスト通過領域Ａｍｉでミストが通過する方向Ｄｐと略直交する方向Ｄｎに、離間して配置してある。ミストは、ミスト生成部１１から方向Ｄｐに向けて流出するため、ミスト生成部１１に対して当該方向Ｄｐと直交する方向Ｄｎに配置される金属微粒子生成部１０には到達し難くなる。したがって、かかる構成により、金属微粒子生成部１０は、ミスト生成部１１から流出したミストによる影響を受け難くなる。
【００５６】
また、本実施形態では、空洞９内では、金属微粒子生成部１０を、金属微粒子排出口２０ａに比較的近い位置で、当該金属微粒子排出口２０ａに対向させて配置し、ミスト生成部１１を、ミスト排出口２０ｂに比較的近い位置で、当該ミスト排出口２０ｂに対向させて配置している。さらに、ミスト生成部１１とカバー２０との距離Ｄ１を、ミスト生成部１１と金属微粒子生成部１０との距離Ｄ２より短くしてある。さらに、空洞９内では、間隙ｇ１から流入した分岐流Ｗｐは、金属微粒子排出口２０ａおよびミスト排出口２０ｂから外部に排出される。
【００５７】
したがって、本実施形態では、金属微粒子生成部１０で生成された金属微粒子は、比較的スムーズに金属微粒子排出口２０ａから排出されるとともに、ミスト生成部１１で生成されたミストは、比較的スムーズにミスト排出口２０ｂから排出される。すなわち、金属微粒子生成部１０で生成された金属微粒子はミスト生成部１１側には流れにくく、かつミスト生成部１１で生成されたミストは金属微粒子生成部１０側には流れにくい構成となっている。なお、分岐流Ｗｐは、金属微粒子およびミストの排出に貢献しているが、分岐流Ｗｐが無い場合でも、金属微粒子およびミストは対応する排出口２０ａ，２０ｂから排出される。
【００５８】
さらに、本実施形態では、空洞９内に遮蔽壁を設けることで、ミストが金属微粒子生成部１０に到達するのをより一層確実に抑制している。本実施形態では、導光部材２１ｂと、金属微粒子生成部１０を内筒６に取り付ける取付部材６ｄとを、遮蔽壁として利用している。
【００５９】
導光部材２１ｂは、板状に形成され、その厚み方向が内筒６の周方向に沿う姿勢で、金属微粒子生成部１０の放出端部側（図３の左側）とミスト生成部１１の放出端部側との間に配置されており、空洞９内で、金属微粒子通過領域（すなわち金属微粒子生成部１０に対して図３の左側の領域）Ａｍｅ側と、ミスト通過領域（すなわちミスト生成部１１に対して図３の左側の領域）Ａｍｉ側とを区画する遮蔽壁となっている。
【００６０】
取付部材６ｄは、内筒６の筒状部６ａから径外方向に向けて突設されており、金属微粒子生成部１０を内筒６に取り付ける部材である。そして、金属微粒子生成部１０側から金属微粒子排出口２０ａ側に向けて延びる遮蔽壁部６ｅを有している。この遮蔽壁部６ｅは、取付部材６ｄに設けられているため必然的に金属微粒子生成部１０に近接して配置されることとなり、比較的小さな構成でミストが金属微粒子生成部１０側に到達するのを効率よく抑制することができる。
【００６１】
また、取付部材６ｄの遮蔽壁部６ｅとカバー２０との間には間隙ｇ２を設け、カバー２０に滞留した電荷が遮蔽壁部６ｅを介して金属微粒子生成部１０側へ到来して金属微粒子生成部１０における金属微粒子の生成を阻害するのを抑制してある。なお、間隙ｇ２を設けるのに替えて、取付部材６ｄとカバー２０との間に導電性の低いあるいは絶縁性の部材を介在させてもよい。
【００６２】
そして、遮蔽壁として機能するこれら導光部材２１ｂおよび取付部材６ｄは、図３に示すように、空洞９内で並列にミストが通過する方向Ｄｐと略平行に配置されて、二重の遮蔽壁となっており、ミストが金属微粒子生成部１０に到達するのをより一層効果的に抑制してある。
【００６３】
以上、説明したように、本実施形態では、第一電圧印加回路１２と第二電圧印加回路１４とが筒体である内筒６を挟んで互いに反対側に配置されていることにより、第一電圧印加回路１２と第二電圧印加回路１４との相互干渉の発生を抑制することができるので、第一電圧印加回路１２による印加電圧および第二電圧印加回路１４による印加電圧の低下や不安定化を抑制でき、よって、ミスト生成部１１のイオン発生量や金属微粒子生成部１０の金属微粒子生成量が低下することを抑制することができる。
【００６４】
また、第一電圧印加回路１２が、内筒６における把持部１ａ側の反対側に配置され、第二電圧印加回路１４が、内筒６における把持部１ａ側に配置されていることにより、使用者が把持部１ａを持ったときに、第一電圧印加回路１２および第二電圧印加回路１４に作用する重力による回転モーメント（のモーメントアーム）を小さくして、使用者の手に作用する負荷を小さくすることができる。
【００６５】
また、第一電圧印加回路１２と内筒６と第二電圧印加回路１４とが、直線上に配置されていることにより、第一電圧印加回路１２および第二電圧印加回路１４に作用する重力による回転モーメント（のモーメントアーム）をより小さくして、使用者の手に作用する負荷をより小さくすることができる。
【００６６】
また、第一電圧印加回路１２を支持するケース３の分割体３ｆと第二電圧印加回路１４を支持するケース３の分割体３ｇとが異なることにより、それぞれの電圧印加回路１２，１４の電界の影響によって分割体３ｆ，３ｇが帯電しても、その電荷の移動を分割体３ｆ，３ｇの継ぎ目で抑制することができるので、イオン発生部１１のイオン発生量や金属微粒子生成部１０の金属微粒子生成量が低下することを抑制することができる。
【００６７】
また、把持部１ａにチャージ部２９が配置されていることにより、ヘアドライヤ１の重量バランスを良くしてヘアドライヤ１を持ちやすくすることができる。
【００６８】
また、第一電圧印加回路１２および第二電圧印加回路１４が上下方向に並んだ状態で内筒６の軸心線ｙに沿って見て、一対の係止部２８が内筒６を挟んで左右方向に並ぶ位置に配置されていることにより、ヘアドライヤ１の重量バランスを良くしてヘアドライヤ１を持ちやすくすることができるとともに、内筒６回りの第一電圧印加回路１２および第二電圧印加回路１４の間のスペースを有効利用してヘアドライヤ１の小型化を図ることができる。
【００６９】
ここで、本発明者らの研究によって、内筒６の軸心線ｙへの第一電圧印加回路１２の中心を通る第一垂線ｘ１と、内筒６の軸心線ｙへの第二電圧印加回路１４の中心を通る第二垂線ｘ２との内筒６の軸心線周りでの角度ｚが８０度〜２８０度の範囲内であれば、イオン発生部であるミスト生成部１１のイオン発生量や金属微粒子生成部１０の金属微粒子生成量が低下することを抑制することができることが判明した。つまり、図８に示す変形例のヘアドライヤ１Ａのように、第一垂線ｘ１と第二垂線ｘ２との内筒６の軸心線周りでの角度ｚが８０度〜２８０度の範囲内であれば、第一電圧印加回路１２と第二電圧印加回路１４とが内筒６を挟んで互いに反対側に配置されていなくても良いことが判明した。具体的には、角度ｚが８０度，９０度の場合には、イオンが規定の発生量以上で安定的に発生する一方、角度ｚが７０度の場合には、イオン発生量が規定の発生量以下を下回った。ここで、イオン発生量の規定の発生量とは、使用者が髪へのイオンによる効果を感じられるイオンの発生量である。また、イオンが規定の発生量以上で安定的に発生するとは、図９において線ａ，ｂ，ｃで示すように、規定の発生量Ｉ以上でイオンが発生することであり、その値が上下していても良い。これに対して、イオン発生量が規定の発生量Ｉ以下を下回るとは、図１０に線ｄ，ｅ，ｆで示すように、常にイオン発生量が規定の発生量Ｉを下回る場合の他に、規定の発生量Ｉを越えたり下回ったりする場合も含む。なお、角度ｚは、第一垂線ｘ１と第二垂線ｘ２との間の２つの角度のうちのどちらであっても良い。
【００７０】
以上、本発明の好適な実施形態について説明したが、本発明は上記実施形態には限定されず、種々の変形が可能である。例えば、金属微粒子生成部およびイオン発生部であるミスト生成部の配置は、上記実施形態および変形例のものと逆転しても良い。また、ミスト生成部の取付部材に遮蔽壁部を一体化させてもよい。また、排出口をケースと別体のカバーに設けることは必須ではなく、排出口をケースに設けてもよい。さらに、外壁と遮蔽壁との間に間隙を形成するのに替えて、それらの間に絶縁部材を介在させてもよい。また、照明部の光源はＬＥＤに限ることなく、例えば電球などであっても良い。また、照明部は、１つに限ることなく複数設けても良い。
【図面の簡単な説明】
【００７１】
【図１】本発明の一実施形態にかかるヘアドライヤの断面図である。
【図２】本発明の一実施形態にかかるヘアドライヤを送風口側から見た正面図である。
【図３】本発明の一実施形態にかかるヘアドライヤの本体部内で金属微粒子生成部とミスト生成部が設けられる部分を拡大して示す平面図である。
【図４】図１のＩＶ−ＩＶ線断面図である。
【図５】本発明の一実施形態にかかるフィルタユニットを示す分解斜視図である。
【図６】図１のＶＩ−ＶＩ線断面図である。
【図７】図１のＶＩＩ−ＶＩＩ線断面図である。
【図８】本発明の一実施形態の変形例にかかるヘアドライヤを示す断面図である。
【図９】本発明の一実施形態にかかるミスト生成部のイオン発生特性図である。
【図１０】本発明の一実施形態にかかる比較例のミスト生成部のイオン発生特性図である。
【符号の説明】
【００７２】
１，１Ａ    ヘアドライヤ
１ａ    把持部
１ｂ    本体部
３    ケース
３ｆ，３ｇ    分割体
５    ファン
６    内筒（筒体）
１０    金属微粒子生成部
１１    ミスト生成部（イオン発生部）
１２    第一電圧印加回路
１４    第二電圧印加回路
２５    送風部
２６    フィルタユニット
２７    係止部
２９    チャージ部
ｘ１    第一垂線
ｘ２    第二垂線
ｙ    軸心線
ｚ    角度
【図１】
2010125163.tif 000003
【図２】
2010125163.tif 000004
【図３】
2010125163.tif 000005
【図４】
2010125163.tif 000006
【図５】
2010125163.tif 000007
【図６】
2010125163.tif 000008
【図７】
2010125163.tif 000009
【図８】
2010125163.tif 000010
【図９】
2010125163.tif 000011
【図１０】
2010125163.tif 000012